(57)【要約】      （修正有）【課題】分割ケースが閉じられることによって環状の磁性体コアを形成する第１半割磁性体及び第２半割磁性体の接合面間において非磁性シートを介在させることが可能なフェライトクランプを提供する。【解決手段】フェライトクランプ１では、分割ケース１０が開けられた状態での第１分割ケース１０ａ内において、第１半割磁性体５０ａの接合面５４上に置かれている非磁性シート７０の一端が、第１半割磁性体５０ａの接合面５４から前後方向Ｄ３へ飛び出すと共に、第１半割磁性体５０ａを介した付勢片の付勢力によって、シート収納部３０の天井壁３４に押し付けられる。【選択図】図４
2020205351.tif 000002
【特許請求の範囲】
【請求項１】
第１分割ケース及び第２分割ケースを有し、前記第１分割ケースと前記第２分割ケースとが隔離され又は継ぎ合わされることによって開閉可能な分割ケースと、
前記分割ケースのうち、少なくとも前記第１分割ケースの内部に設けられた付勢部と、
接合面が設けられた開環状をなし、互いに組み合わされると、導体を挿し通すための挿通孔を有した環状の磁性体コアを形成する一対の第１半割磁性体及び第２半割磁性体と、
前記分割ケースが閉じられた状態において、前記第１分割ケースに収容された前記第１半割磁性体の前記接合面と、前記第２分割ケースに収容された前記第２半割磁性体の前記接合面とに挟まれた状態で備え付けられる非磁性シートと、
前記第１分割ケースから前記第１分割ケースの内方向へ延び、前記導体の挿通方向において、前記第１分割ケースと前記第１半割磁性体との間に設けられたシート収納部と、を備え、
前記分割ケースが開けられた状態での前記第１分割ケース内において、前記第１半割磁性体の前記接合面の上に置かれている前記非磁性シートの一端が、前記第１半割磁性体の前記接合面から前記導体の挿通方向へ飛び出すと共に、前記第１半割磁性体を介した前記付勢部の付勢力によって、前記シート収納部に押し付けられることを特徴とするフェライトクランプ。
【請求項２】
前記第１分割ケースの内面に設けられた係止部と、
前記第１半割磁性体に形成された被係止部と、を備え、
前記分割ケースが開けられた状態での前記第１分割ケース内において、前記第１分割ケースの前記係止部と前記第１半割磁性体の前記被係止部とが前記第１半割磁性体に作用する前記付勢部の付勢力で互いに係ることによって、前記第１半割磁性体が静止状態になると、前記非磁性シートの一端が前記シート収納部に押し付けられると共に、前記非磁性シートが前記第１半割磁性体の前記接合面と前記シート収納部とに亘って平坦な状態にあることを特徴とする請求項１に記載のフェライトクランプ。
【請求項３】
前記シート収納部は、前記第１分割ケースに対し、前記導体の挿通方向において、前記第１半割磁性体の前記接合面の両側に設けられたことを特徴とする請求項１又は請求項２に記載のフェライトクランプ。
【請求項４】
前記シート収納部の内部に設けられ、前記シート収納部に押し付けられた前記非磁性シートの一端が入り込む溝部を備えたことを特徴とする請求項１から請求項３のいずれか一つに記載のフェライトクランプ。
【請求項５】
前記第１分割ケースに設けられることによって前記溝部と連なり、前記非磁性シートの一端が前記第１分割ケースの外方向側から差し込まれる差込口部を備え、
前記差込口部は、前記分割ケースが開けられた状態での前記第１分割ケースにおいて、前記付勢部の付勢力に逆らって前記第１分割ケース内に押し込まれた前記第１半割磁性体の前記接合面と前記溝部との間に位置することを特徴とする請求項４に記載のフェライトクランプ。
【発明の詳細な説明】
【技術分野】
【０００１】
本開示は、磁気飽和を抑制するための非磁性シートを備えたフェライトクランプに関するものである。
【背景技術】
【０００２】
従来より、上記フェライトクランプに関し、種々の技術が提案されている。例えば、下記特許文献１に記載の技術は、電力変換を行う回路において共振用リアクトルに使用されるリアクトル用コアであって、前記回路を構成するバスバに挿通される中空部を有する中空筒状であり、前記コアは、一対の半割れ片を組み合わせて筒状に構成され、前記半割れ片は、開閉可能なケースに収納されており、前記ケースの開閉に対応して、前記各半割れ片の接合面間が開閉するように両片がケースに収納され、更に、一方の半割れ片の少なくとも一方の接合面に非磁性材料からなるギャップ材が接着剤で接合されている。
【先行技術文献】
【特許文献】
【０００３】
【特許文献１】特開２００９−１５８５３４号公報
【発明の概要】
【発明が解決しようとする課題】
【０００４】
上記特許文献１に記載の技術によれば、磁気飽和を抑制するためのギャップ材が、コアを構成する一対の半割れ片のうち、一方の半割れ片の少なくとも一方の接合面に接着剤で接合されることによって、各半割れ片の接合面間に介在させることができる。しかしながら、更に好適に、ギャップ材を各半割れ片の接合面間に介在させることが望まれている。
【０００５】
そこで、本開示は、上述した点を鑑みてなされたものであり、分割ケースが閉じられることによって環状の磁性体コアを形成する第１半割磁性体及び第２半割磁性体の接合面間において非磁性シートを介在させることが可能なフェライトクランプを提供することを課題とする。
【課題を解決するための手段】
【０００６】
本明細書は、第１分割ケース及び第２分割ケースを有し、第１分割ケースと第２分割ケースとが隔離され又は継ぎ合わされることによって開閉可能な分割ケースと、分割ケースのうち、少なくとも第１分割ケースの内部に設けられた付勢部と、接合面が設けられた開環状をなし、互いに組み合わされると、導体を挿し通すための挿通孔を有した環状の磁性体コアを形成する一対の第１半割磁性体及び第２半割磁性体と、分割ケースが閉じられた状態において、第１分割ケースに収容された第１半割磁性体の接合面と、第２分割ケースに収容された第２半割磁性体の接合面とに挟まれた状態で備え付けられる非磁性シートと、第１分割ケースから第１分割ケースの内方向へ延び、導体の挿通方向において、第１分割ケースと第１半割磁性体との間に設けられたシート収納部と、を備え、分割ケースが開けられた状態での第１分割ケース内において、第１半割磁性体の接合面の上に置かれている非磁性シートの一端が、第１半割磁性体の接合面から導体の挿通方向へ飛び出すと共に、第１半割磁性体を介した付勢部の付勢力によって、シート収納部に押し付けられることを特徴とするフェライトクランプを開示する。
【発明の効果】
【０００７】
本開示によれば、フェライトクランプは、分割ケースが閉じられることによって環状の磁性体コアを形成する第１半割磁性体及び第２半割磁性体の接合面間において非磁性シートを介在させることが可能である。
【図面の簡単な説明】
【０００８】
【図１】図１は、フェライトクランプ１が、分割ケース１０が閉じられた状態で表された斜視図である。
【図２】図２は、分割ケース１０が開けられた状態のフェライトクランプ１が、第１分割ケース１０ａを紙面手前側にして表された斜視図である。
【図３】図３は、分割ケース１０が開けられた状態のフェライトクランプ１が、第２分割ケース１０ｂを紙面手前側にして表された斜視図である。
【図４】図４は、図３に表されたフェライトクランプ１の分解斜視図である。
【図５】図５は、分割ケース１０が開けられた状態のフェライトクランプ１が表された平面図である。
【図６】図６は、分割ケース１０が開けられた状態のフェライトクランプ１が、第２分割ケース１０ｂ側から表された側面図である。
【図７】図７は、分割ケース１０が開けられた状態のフェライトクランプ１が、第１分割ケース１０ａ側から表された側面図である。
【図８】図８Ａは、分割ケース１０が開けられた状態のフェライトクランプ１が表された正面図である。図８Ｂは、図８Ａ中に線ＶＩＩＩＢ−ＶＩＩＩＢで示した切断箇所における断面矢視図である。
【図９】図９Ａは、図５中に線ＩＸＡ−ＩＸＡで示した切断箇所における断面矢視図であって、非磁性シート７０の取り付けを説明するための図である。図９Ｂは、図９Ａの第１拡大枠Ａ１が拡大されて表された図である。
【図１０】図１０Ａは、図５中に線ＩＸＡ−ＩＸＡで示した切断箇所における断面矢視図であって、非磁性シート７０の取り付けを説明するための図である。図１０Ｂは、図１０Ａの第２拡大枠Ａ２が拡大されて表された図である。
【図１１】図１１Ａは、図５中に線ＩＸＡ−ＩＸＡで示した切断箇所における断面矢視図であって、非磁性シート７０の取り付けを説明するための図である。図１１Ｂは、図１１Ａの第３拡大枠Ａ３が拡大されて表された図である。
【図１２】図１２Ａは、図５中に線ＩＸＡ−ＩＸＡで示した切断箇所における断面矢視図であって、非磁性シート７０の取り付けを説明するための図である。図１２Ｂは、図１２Ａの第４拡大枠Ａ４が拡大されて表された図である。
【発明を実施するための形態】
【０００９】
（１）フェライトクランプ１の構成
以下、本開示に係るフェライトクランプ１について、具体化した本実施形態に基づき、図面を参照しつつ説明する。本実施形態のフェライトクランプ１は、磁性体コアを環状に保持するものであって、ノイズ電流が流れているケーブル等の導線１００（図１参照）が磁性体コアに挿し通されることによって、ノイズ電流の伝播を抑えるものである。以下では、符号Ｄ１の方向を上下方向、符号Ｄ２の方向を左右方向、及び符号Ｄ３の方向を前後方向として説明する。各方向Ｄ１，Ｄ２，Ｄ３は、互いに直交する関係にある。尚、前後方向Ｄ３は、導線１００の挿通方向である。
【００１０】
（１−１）分割ケース１０の構成
図１から図７に表されたように、フェライトクランプ１は、分割ケース１０を備えている。分割ケース１０は、第１分割ケース１０ａ及び第２分割ケース１０ｂを有している。第１分割ケース１０ａ及び第２分割ケース１０ｂは、図１の継ぎ合わされた状態と、図２から図７の隔離された状態とになることができる。
【００１１】
尚、以下の説明において、図１に表された状態は分割ケース１０が閉じられた状態と表記され、図２から図７に表された状態は分割ケース１０が開けられた状態と表記されることがある。また、以下では、図２から図７に表された状態、つまり分割ケース１０が開けられた状態を前提にして説明する。
【００１２】
第１分割ケース１０ａ及び第２分割ケース１０ｂは、合成樹脂を材料とした金型成形によって形作られたものであって、断面が略八角形の中空状の角柱をその軸方向に沿って均等に二分割したような形状をなし、その分割面が開口されている。第１分割ケース１０ａ及び第２分割ケース１０ｂは、周壁１２及び端壁１４で構成されている。周壁１２は、上記の角柱の側面に相当するものである。端壁１４は、上記の角柱の底面に相当するものであって、周壁１２の両端から垂直に周壁１２の内方向へ設けられている。
【００１３】
第１分割ケース１０ａ及び第２分割ケース１０ｂの各周壁１２の上端面は、左右方向Ｄ２及び前後方向Ｄ３に平行な同一面上に位置する。但し、第１分割ケース１０ａの周壁１２の上端面は、上下方向Ｄ１において、第１分割ケース１０ａの各端壁１４の上端面よりも下方向へ所定距離隔てた位置にある。これに対して、第２分割ケース１０ｂの周壁１２の上端面は、上下方向Ｄ１において、第２分割ケース１０ｂの各端壁１４の上端面よりも上方向へ上記の所定距離隔てた位置にある。
【００１４】
第１分割ケース１０ａの周壁１２と第２分割ケース１０ｂの周壁１２との間には、一対のヒンジ１６が渡し設けられている。これにより、第１分割ケース１０ａ及び第２分割ケース１０ｂは、一対のヒンジ１６によって、図１の継ぎ合わされた状態と、図２から図７の隔離された状態とになることができる。つまり、分割ケース１０は、一対のヒンジ１６によって、開閉可能である。
【００１５】
分割ケース１０は、一対の係合枠１８及び一対の係合爪２０を有している。一対の係合枠１８及び一対の係合爪２０は、分割ケース１０が閉じられた状態を保持するものである。一対の係合枠１８は、第２分割ケース１０ｂにおいて、一対のヒンジ１６とは反対側の周壁１２の上端面から上方向へ飛び出すように設けられている。これに対して、一対の係合爪２０は、第１分割ケース１０ａにおいて、一対のヒンジ１６とは反対側の周壁１２の上端から第１分割ケース１０ａの外方向へ突起するように設けられている。更に、一対の係合爪２０は、第１分割ケース１０ａの周壁１２の上端面から上方向へ飛び出ないように設けられている。
【００１６】
分割ケース１０が閉じられた状態、つまり第１分割ケース１０ａ及び第２分割ケース１０ｂが継ぎ合わされると、第２分割ケース１０ｂの一対の係合枠１８と第１分割ケース１０ａの一対の係合爪２０とが互いに係る。これにより、分割ケース１０が閉じられた状態が保持される。尚、第２分割ケース１０ｂの一対の係合枠１８と第１分割ケース１０ａの一対の係合爪２０との互いの係りが解除されると、分割ケース１０が開けられた状態、つまり第１分割ケース１０ａ及び第２分割ケース１０ｂが隔離されることが可能になる。
【００１７】
第１分割ケース１０ａ及び第２分割ケース１０ｂは、一対の付勢片２２及び一対の係止爪２４を有している。一対の付勢片２２は、第１分割ケース１０ａ及び第２分割ケース１０ｂの各周壁１２において、その底面から上方向へ突起するように前後方向Ｄ３に沿って設けられている。一対の係止爪２４は、第１分割ケース１０ａ及び第２分割ケース１０ｂの各周壁１２において、その左右方向Ｄ２の両側内面から第１分割ケース１０ａ及び第２分割ケース１０ｂの内方向へ突起するように設けられている。
【００１８】
第２分割ケース１０ｂは、２組の一対の突起片２６を有している。各一対の突起片２６は、第２分割ケース１０ｂの各端壁１４の内面において、第２分割ケース１０ｂの内方向へ突起するようにして上下方向Ｄ１に沿って延びている。各一対の突起片２６では、それぞれの下端が、第２分割ケース１０ｂの周壁１２の底面に連なっている。
【００１９】
（１−２）シート収納部３０の構成
第１分割ケース１０ａには、その上側開口の四隅において、シート収納部３０が設けられている。各シート収納部３０は、上記の第１分割ケース１０ａの端壁１４に加えて、突当壁３２、天井壁３４、側壁３６、及び差込口部３８で構成されている。突当壁３２は、第１分割ケース１０ａの端壁１４の内面において、第１分割ケース１０ａの内方向へ突起するようにして上下方向Ｄ１に沿って延びている。突当壁３２の下端は、第１分割ケース１０ａの周壁１２の底面に連なっている。
【００２０】
天井壁３４は、第１分割ケース１０ａの端壁１４の上端から第１分割ケース１０ａの内方向へ延びると共に、突当壁３２の上端に連なっている。側壁３６は、第１分割ケース１０ａの端壁１４において、突当壁３２とは反対側の側端から第１分割ケース１０ａの内方向へ延びると共に、天井壁３４及び第１分割ケース１０ａの周壁１２の上端に連なっている。差込口部３８は、側壁３６の下端において、第１分割ケース１０ａの周壁１２の上端面に沿ってスリット状に形成されたものであって、第１分割ケース１０ａの内方向側が開かれている。差込口部３８の隙間寸法は、上下方向Ｄ１で、０．５ｍｍである。
【００２１】
各シート収納部３０において、その突当壁３２、天井壁３４、及び側壁３６の、第１分割ケース１０ａの内方向側の各端面は、上下方向Ｄ１及び左右方向Ｄ２に平行な同一面上にある。
【００２２】
尚、各シート収納部３０内には、突当壁３２、天井壁３４、及び側壁３６に囲まれた溝部４０（後述する図９Ｂ、図１０Ｂ、図１１Ｂ、及び図１２Ｂ参照）が形成されている。これにより、溝部４０は、側壁３６の差込口部３８に連なっている
【００２３】
溝部４０の深さ寸法は、上下方向Ｄ１で、１ｍｍである。また、左右方向Ｄ２におけるシート収納部３０の寸法であって、突当壁３２と側壁３６との内側間隔寸法は、５．４５ｍｍである。
【００２４】
（１−３）半割磁性体５０の構成
フェライトクランプ１は、半割磁性体５０を備えている。半割磁性体５０は、フェライト製であり、第１半割磁性体５０ａ及び第２半割磁性体５０ｂを有している。第１半割磁性体５０ａ及び第２半割磁性体５０ｂは、略円筒状の磁性体コアをその軸方向に沿って均等に二分割したような開環状をなしている。
【００２５】
第１半割磁性体５０ａ及び第２半割磁性体５０ｂは、同一の形状を有している。第１半割磁性体５０ａ及び第２半割磁性体５０ｂの中央部には、断面が半円形で上記のケーブル等が入れられる溝が、下方向へ凹むようにして上記の軸方向（以下、前後方向Ｄ３という。）に沿って形成されている。更に、第１半割磁性体５０ａ及び第２半割磁性体５０ｂには、一対の係止溝５２及び一対の接合面５４が設けられている。
【００２６】
一対の係止溝５２は、第１半割磁性体５０ａ及び第２半割磁性体５０ｂにおいて、その左右方向Ｄ２の両側外周面から第１半割磁性体５０ａ及び第２半割磁性体５０ｂの内方向へ凹むようにして前後方向Ｄ３に沿って形成されている。一対の接合面５４は、上記の略円筒状の磁性体コアの分割面に相当するものであって、第１半割磁性体５０ａ及び第２半割磁性体５０ｂの左右方向Ｄ２の両側上端に形成されており、左右方向Ｄ２及び前後方向Ｄ３に平行な同一面上に位置するようにして、前後方向Ｄ３に沿って延びている。
【００２７】
半割磁性体５０は、分割ケース１０に装入される。具体的には、第１半割磁性体５０ａは、その一対の接合面５４が上方向へ向いた状態で、第１分割ケース１０ａに対して、その上側開口から下方向へ押し込まれる。これにより、第１分割ケース１０ａの一対の係止爪２４が第１半割磁性体５０ａの一対の係止溝５２に入り込むと、第１半割磁性体５０ａが第１分割ケース１０ａの付勢片２２を下方向へ弾性変形させる。そのため、第１半割磁性体５０ａを下方向へ押し込む力がなくなると、第１半割磁性体５０ａが付勢片２２の付勢力で上方向へ押し出され、第１半割磁性体５０ａの一対の係止溝５２と第１分割ケース１０ａの一対の係止爪２４とが互いに係るので、第１半割磁性体５０ａが静止した状態で第１分割ケース１０ａに収容される。
【００２８】
その際、第１半割磁性体５０ａの前後方向Ｄ３の両側端面は、第１分割ケース１０ａの各シート収納部３０の突当壁３２に接触する。これにより、第１半割磁性体５０ａは、第１分割ケース１０ａ内において、上下方向Ｄ１の移動が導かれると共に、前後方向Ｄ３の移動が抑制される。
【００２９】
また、第１分割ケース１０ａ内では、前後方向Ｄ３で対向する２組の一対のシート収納部３０の間において、第１半割磁性体５０ａの一対の接合面５４が配置される。つまり、各シート収納部３０は、第１分割ケース１０ａにおいて、その端壁１４と第１半割磁性体５０ａとの間に位置するように設けられている。
【００３０】
更に、第１分割ケース１０ａ内で第１半割磁性体５０ａが静止した状態になると、第１半割磁性体５０ａの前後方向Ｄ３の両側端面は、シート収納部３０の突当壁３２に加えて、シート収納部３０の側壁３６に接触する。同時に、第１半割磁性体５０ａの一対の接合面５４は、上下方向Ｄ１において、第１分割ケース１０ａの周壁１２の上端面よりも上方向側に位置すると共に、シート収納部３０の天井壁３４と差込口部３８との間に位置する。
【００３１】
第２半割磁性体５０ｂは、第１半割磁性体５０ａが第１分割ケース１０ａに収容される場合と同様にして、第２分割ケース１０ｂに収容される。但し、第２半割磁性体５０ｂが第２分割ケース１０ｂに収容されると、第２半割磁性体５０ｂの前後方向Ｄ３の両側端面が、第２分割ケース１０ｂの突起片２６に接触する。これにより、第２半割磁性体５０ｂは、第２分割ケース１０ｂ内において、上下方向Ｄ１の移動が導かれると共に、前後方向Ｄ３の移動が抑制される。更に、第２分割ケース１０ｂ内で第２半割磁性体５０ｂが静止した状態になると、第２半割磁性体５０ｂの一対の接合面５４は、第２分割ケース１０ｂの周壁１２の上端面よりも上方向側に位置する。
【００３２】
このようにして、半割磁性体５０が分割ケース１０に装入されると、第１半割磁性体５０ａの一対の接合面５４と第２半割磁性体５０ｂの一対の接合面５４とが、左右方向Ｄ２及び前後方向Ｄ３に平行な同一面上に位置する。
【００３３】
尚、第１半割磁性体５０ａ及び第２半割磁性体５０ｂは、分割ケース１０が閉じられた状態になると、第１半割磁性体５０ａの一対の接合面５４と第２半割磁性体５０ｂの一対の接合面５４とが、後述する非磁性シート７０を介して突き合わせられる。これにより、第１半割磁性体５０ａ及び第２半割磁性体５０ｂは、第１分割ケース１０ａ及び第２分割ケース１０ｂ内へ押し戻されるが、第１分割ケース１０ａ及び第２分割ケース１０ｂの各付勢片２２の付勢力によって押し返される。そのため、第１半割磁性体５０ａの一対の接合面５４及び第２半割磁性体５０ｂの一対の接合面５４は、後述する非磁性シート７０を介して互いに押し付けられる。このようにして、第１半割磁性体５０ａ及び第２半割磁性体５０ｂは、分割ケース１０が閉じられた状態において、環状の磁性体コアを形成する。
【００３４】
（１−４）非磁性シート７０の構成
フェライトクランプ１は、一対の非磁性シート７０を備えている。一対の非磁性シート７０は、ポリエチレンテレフタレート（ＰＥＴ）樹脂の非磁性材料からなり、同一の長尺形状に成形され、自重で変形し難い性質を有している。一対の非磁性シート７０は、第１分割ケース１０ａにおいて、第１半割磁性体５０ａの一対の接合面５４にそれぞれ載せられている。
【００３５】
各非磁性シート７０は、その左右方向Ｄ２（以下、幅方向Ｄ２と表記することがある。）の両端が、第１半割磁性体５０ａの各接合面５４からはみ出さない状態で、第１半割磁性体５０ａの各接合面５４に載せされている。これに対して、各非磁性シート７０の前後方向Ｄ３（以下、長尺方向Ｄ３と表記することがある。）の両端は、第１半割磁性体５０ａの各接合面５４から飛び出しており、第１分割ケース１０ａの各シート収納部３０内に入り込んだ状態にある。
【００３６】
各非磁性シート７０は、分割ケース１０が閉じられた状態になると、第１半割磁性体５０ａの各接合面５４と第２半割磁性体５０ｂの各接合面５４とに挟まれる。これにより、第１半割磁性体５０ａの各接合面５４と第２半割磁性体５０ｂの各接合面５４とが突き合わせられることによって形成された環状の磁性体コアにおいて、各非磁性シート７０によるギャップが設けられる。このようにして、環状の磁性体コアは、各非磁性シート７０によって、磁気飽和が抑制されるように構成される。
【００３７】
尚、非磁性シート７０の寸法は、幅方向Ｄ２の長さが５ｍｍ、長尺方向Ｄ３の長さが３７ｍｍ、上下方向Ｄ１の長さ（厚さ）が０．２ｍｍである。非磁性シート７０の非磁性材料としては、上記のポリエチレンテレフタレート（ＰＥＴ）樹脂の他に、例えば、ポリエチレンナフタレート（ＰＥＮ）樹脂、若しくはポリカーボネート（ＰＣ）樹脂等の樹脂シート、ゴムシート、紙、又は合成紙等がある。
【００３８】
（２）非磁性シート７０が第１半割磁性体５０ａの接合面５４上に置かれた態様
図８Ａ及び図８Ｂに表されたように、第１分割ケース１０ａにおいて、各非磁性シート７０の長尺方向Ｄ３の両端は、第１半割磁性体５０ａの各接合面５４から飛び出しており、第１半割磁性体５０ａが静止した状態になると、第１分割ケース１０ａの各シート収納部３０内に入り込んだ状態になる。
【００３９】
その際、各非磁性シート７０の長尺方向Ｄ３の両端は、第１分割ケース１０ａにおいて、その端壁１４と第１半割磁性体５０ａとの間に介在する各シート収納部３０の天井壁３４に対し、その下面に接触して押し付けられた状態になる。しかしながら、第１分割ケース１０ａの各シート収納部３０の天井壁３４と第１半割磁性体５０ａの各接合面５４との相対的位置関係等から、各非磁性シート７０は、第１分割ケース１０ａの各シート収納部３０と第１半割磁性体５０ａの各接合面５４とに亘って平坦な状態が維持される。
【００４０】
尚、平坦な状態とは、非磁性シート７０が、曲がったり、折れたりすることなく、平らにある状態をいう。
【００４１】
（３）非磁性シート７０の取り付け
各非磁性シート７０は、図９Ａ及び図９Ｂから図１２Ａ及び図１２Ｂに表された取り付け手順で、第１分割ケース１０ａ内に配置される。以下では、第１分割ケース１０ａにおいて、その左右方向Ｄ２の左側に設けられた一対のシート収納部３０に対して行われる、非磁性シート７０の取り付けについて説明する。
【００４２】
先ず、図９Ａ及び図９Ｂに表されたように、第１分割ケース１０ａでは、その付勢片２２の付勢力とは反対方向の第１外力Ｆ１が第１半割磁性体５０ａに作用することによって、第１半割磁性体５０ａが第１分割ケース１０ａ内に押し込まれる。これにより、第１半割磁性体５０ａの接合面５４が、第１分割ケース１０ａの周壁１２の上端面に対してフラットな状態、又は第１分割ケース１０ａの周壁１２の上端面よりも下方向側に位置する状態になる。このような状態の第１分割ケース１０ａでは、そのシート収納部３０の差込口部３８が、上下方向Ｄ１において、第１半割磁性体５０ａの接合面５４よりも上方向側に位置する。
【００４３】
次に、図１０Ａ及び図１０Ｂに表されたように、第１分割ケース１０ａでは、その周壁１２の上端面に載せられた非磁性シート７０が、第１半割磁性体５０ａの接合面５４側へ向かう第２外力Ｆ２によって、第１分割ケース１０ａの周壁１２の上端面から第１半割磁性体５０ａの接合面５４にスライド移動させられる。それに伴って、非磁性シート７０の長尺方向Ｄ３の一端が、第１分割ケース１０ａのシート収納部３０の差込口部３８に差し入れられる。尚、非磁性シート７０は、第１分割ケース１０ａの各端壁１４によって、長尺方向Ｄ３の前後側へのスライド移動が抑制される（図８Ｂ参照）。
【００４４】
これにより、図１１Ａ及び図１１Ｂに表されたように、第１分割ケース１０ａでは、非磁性シート７０が、第１半割磁性体５０ａの接合面５４上に置かれた状態になる。その際、非磁性シート７０は、第１分割ケース１０ａのシート収納部３０の突当壁３２によって、幅方向Ｄ２の右側への移動が抑制される。そのため、非磁性シート７０の幅方向Ｄ２の両端は、第１半割磁性体５０ａの接合面５４からはみ出さない状態にされる。更に、非磁性シート７０の長尺方向Ｄ３の一端が、第１分割ケース１０ａのシート収納部３０の溝部４０から下方向側に位置する状態にされる。
【００４５】
その後、第１分割ケース１０ａでは、第１半割磁性体５０ａに対する第１外力Ｆ１の作用が解除されると、図１２Ａ及び図１２Ｂに表されたように、第１半割磁性体５０ａが第１分割ケース１０ａの付勢片２２の付勢力Ｆ３で上方向へ押し出される。そのため、第１半割磁性体５０ａの係止溝５２と第１分割ケース１０ａの係止爪２４とが互いに係り、第１半割磁性体５０ａが静止した状態になる。
【００４６】
そのような状態になると、第１半割磁性体５０ａの接合面５４は、上下方向Ｄ１において、第１分割ケース１０ａのシート収納部３０の天井壁３４と差込口部３８との間に位置する状態になる。これにより、非磁性シート７０の長尺方向Ｄ３の一端が、第１分割ケース１０ａにおいて、そのシート収納部３０の天井壁３４の下面に接触して押し付けられると共に、シート収納部３０の溝部４０に入り込んだ状態にされる。更に、第１半割磁性体５０ａの接合面５４上に置かれている非磁性シート７０は、平坦な状態が維持される。
【００４７】
このようにして、第１分割ケース１０ａでは、その左右方向Ｄ２の左側に設けられた一対のシート収納部３０に対して、非磁性シート７０の取り付けが行われる。この点は、第１分割ケース１０ａにおいて、その左右方向Ｄ２の右側に設けられた一対のシート収納部３０に対して行われる、非磁性シート７０の取り付けについても同様である。
【００４８】
（４）まとめ
以上詳細に説明したように、本実施形態のフェライトクランプ１では、分割ケース１０が開けられた状態での第１分割ケース１０ａ内において、第１半割磁性体５０ａの接合面５４上に置かれている非磁性シート７０の長尺方向Ｄ３の両端が、第１半割磁性体５０ａの接合面５４から飛び出すと共に、第１半割磁性体５０ａを介した付勢片２２の付勢力Ｆ３によって、シート収納部３０の天井壁３４の下面に押し付けられる。その後、本実施形態のフェライトクランプ１は、分割ケース１０が閉じられることによって、環状の磁性体コアを形成する第１半割磁性体５０ａ及び第２半割磁性体５０ｂの接合面５４間に、非磁性シート７０を介在させることが可能である。
【００４９】
また、本実施形態のフェライトクランプ１では、分割ケース１０が開けられた状態での第１分割ケース１０ａ内において、第１分割ケース１０ａの係止爪２４と第１半割磁性体５０ａの係止溝５２とが、第１半割磁性体５０ａに作用する付勢片２２の付勢力Ｆ３で互いに係る。これにより、第１半割磁性体５０ａが静止した状態になると、非磁性シート７０の両端がシート収納部３０の天井壁３４の下面に押し付けられる。その際、非磁性シート７０は、第１半割磁性体５０ａの接合面５４とシート収納部３０とに亘って平坦な状態にある。そのため、本実施形態のフェライトクランプ１では、非磁性シート７０が、シート収納部３０の天井壁３４と第１半割磁性体５０ａの接合面５４とによって、曲折又は剪断されることが抑制されている。
【００５０】
また、本実施形態のフェライトクランプ１では、第１分割ケース１０ａ内において、一対のシート収納部３０が、第１半割磁性体５０ａの接合面５４の前後方向Ｄ３の両側に設けられている。これにより、分割ケース１０が開けられた状態での第１分割ケース１０ａ内において、第１半割磁性体５０ａの接合面５４上に置かれている非磁性シート７０は、その長尺方向Ｄ３の両端で、シート収納部３０の天井壁３４の下面に押し付けられる。そのため、本実施形態のフェライトクランプ１では、第１半割磁性体５０ａの接合面５４上に置かれた非磁性シート７０の状態が安定する。
【００５１】
また、本実施形態のフェライトクランプ１において、第１分割ケース１０ａに収容されている第１半割磁性体５０ａが静止した状態になると、第１半割磁性体５０ａの接合面５４上に置かれている非磁性シート７０は、その長尺方向Ｄ３の両端が、第１分割ケース１０ａの各シート収納部３０の溝部４０に入り込んだ状態になる。これにより、分割ケース１０が開けられた状態での第１分割ケース１０ａ内において、第１半割磁性体５０ａの接合面５４上に置かれている非磁性シート７０が、幅方向Ｄ２へ移動することが抑制される。このようにしても、本実施形態のフェライトクランプ１では、第１半割磁性体５０ａの接合面５４上に置かれた非磁性シート７０の状態が安定すると共に、第１半割磁性体５０ａの接合面５４から非磁性シート７０が落脱することが抑制されている。
【００５２】
また、本実施形態のフェライトクランプ１では、第１分割ケース１０ａの溝部４０に連なる差込口部３８に対して、非磁性シート７０の長尺方向Ｄ３の両端が、第１分割ケース１０ａの外方向側から差し込まれる。そのような差込口部３８は、分割ケース１０が開けられた状態での第１分割ケース１０ａ内において、その付勢片２２の付勢力Ｆ３に逆らって第１半割磁性体５０ａが第１分割ケース１０ａ内に押し込まれると、上下方向Ｄ１において、第１半割磁性体５０ａの接合面５４と第１分割ケース１０ａの溝部４０との間に位置することが可能である。そのため、本実施形態のフェライトクランプ１では、非磁性シート７０が、その長尺方向Ｄ３の両端が差込口部３８に差し入れられることによって、第１半割磁性体５０ａの接合面５４上に置かれ易く、更に、第１分割ケース１０ａの各シート収納部３０の溝部４０に入り込み易い。
【００５３】
また、本実施形態のフェライトクランプ１において、差込口部３８の上に設けられた側壁３６の寸法は、上下方向Ｄ１で、０．５ｍｍであり、上述した非磁性シート７０の厚さ（つまり、上下方向Ｄ１の長さの０．２ｍｍ）の１．５倍以上である。そのような寸法関係にあれば、分割ケース１０が開けられた状態であっても、非磁性シート７０がシート収納部３０からずれる虞が、一層生じなくなる。
【００５４】
また、本実施形態のフェライトクランプ１において、非磁性シート７０の長尺方向Ｄ３の両端は、それぞれ３．５ｍｍの端部が、前側のシート収納部３０及び後側のシート収納部３０に差し入れられた状態で保持されている。つまり、非磁性シート７０の長尺方向Ｄ３の両端は、それぞれ２ｍｍ以上の端部が、シート収納部３０に収納されている。そのような寸法関係にあれば、分割ケース１０が開けられた状態において、第１半割磁性体５０ａの接合面５４から非磁性シート７０が浮いてしまうようなことが生じた場合であっても、非磁性シート７０がシート収納部３０からずれる虞が、一層生じなくなる。
【００５５】
ちなみに、本実施形態において、付勢片２２は、「付勢部」の一例である。第１分割ケース１０ａの端壁１４の内面から、第１半割磁性体５０ａが収容される第１分割ケース１０の内部空間へ向かう方向は、「第１分割ケースの内方向」の一例である。係止爪２４は、「係止部」の一例である。係止溝５２は、「被係止部」の一例である。付勢片２２の付勢力Ｆ３は、「付勢部の付勢力」の一例である。
【００５６】
（５）その他
尚、本開示は上記実施形態に限定されるものでなく、その趣旨を逸脱しない範囲で様々な変更が可能である。
例えば、図９Ａ、図９Ｂ、図１０Ａ、及び図１０Ｂに表された状態において、非磁性シート７０の長尺方向Ｄ３の両端が、第１分割ケース１０ａの各シート収納部３０の差込口部３８を通ることなく、第１半割磁性体５０ａの接合面５４の前後方向Ｄ３の両側から第１分割ケース１０ａの各シート収納部３０の溝部４０に直接差し入れられてもよい。
【００５７】
また、非磁性シート７０は、その長尺方向Ｄ３に沿って存在した状態で、第１半割磁性体５０ａの接合面５４上を前後方向Ｄ３にスライド移動させられることによって、第１半割磁性体５０ａの接合面５４上に置かれてもよい。但し、そのような場合は、第１分割ケース１０ａの端壁１４に対して、非磁性シート７０がその長尺方向Ｄ３で差し入れられるための差込口部が設けられる。尚、その差込口部は、第１分割ケース１０ａの上下方向Ｄ１において、シート収納部３０の天井壁３４と周壁１２の上端面との間に位置するように設けられる。
【００５８】
また、非磁性シート７０は、第１半割磁性体５０ａの接合面５４上に置かれた際に、接着剤等によって、第１半割磁性体５０ａの接合面５４に固定されてもよい。
【００５９】
また、非磁性シート７０は、その長尺方向Ｄ３の両端のうち、一端のみが、第１分割ケース１０ａにおいて、シート収納部３０の天井壁３４の下面に接触して押し付けられ、シート収納部３０の溝部４０に入り込んだ状態にされてもよい。
【００６０】
また、第１分割ケース１０ａでは、一対の非磁性シート７０のうち、いずれか一方のみが、第１半割磁性体５０ａの接合面５４上に置かれてもよい。
【００６１】
また、分割ケース１０が閉じられた状態において、第１半割磁性体５０ａの接合面５４と第２半割磁性体５０ｂの接合面５４とに非磁性シート７０が挟まれた状態になるのであれば、付勢片２２は、第１分割ケース１０ａのみに設けられてもよい。
【００６２】
また、一対の非磁性シート７０のうち、一方の非磁性シート７０が第１分割ケース１０ａ内の第１半割磁性体５０ａの接合面５４上に置かれ、他方の非磁性シート７０が第２分割ケース１０ｂ内の第２半割磁性体５０ｂの接合面５４上に置かれてもよい。但し、そのような場合には、第２分割ケース１０ｂ内において、付勢片２２は必要であり、一対の係合枠１８とは反対側にシート収納部３０が設けられる。
【００６３】
また、半割磁性体５０は、フェライト以外の磁性材料で作られてもよい。
【符号の説明】
【００６４】
１：フェライトクランプ、１０：分割ケース、１０ａ：第１分割ケース、１０ｂ：第２分割ケース、２２：付勢片、２４：係止爪、３０：シート収納部、３８：差込口部、４０：溝部、５０ａ：第１半割磁性体、５０ｂ：第２半割磁性体、５２：係止溝、５４：接合面、７０：非磁性シート、１００：導体、Ｆ３：付勢片の付勢力
【図１】
2020205351.tif 000003
【図２】
2020205351.tif 000004
【図３】
2020205351.tif 000005
【図４】
2020205351.tif 000006
【図５】
2020205351.tif 000007
【図６】
2020205351.tif 000008
【図７】
2020205351.tif 000009
【図８】
2020205351.tif 000010
【図９】
2020205351.tif 000011
【図１０】
2020205351.tif 000012
【図１１】
2020205351.tif 000013
【図１２】
2020205351.tif 000014